(57)【要約】【課題】  渦電流式減速装置の制動性能を向上させる。【解決手段】  回転軸に結合した制動ドラム１の内方にリング状の磁性体部材３を回転不能に配置し、磁性体部材３にその周方向に所定間隔を隔てて複数の電磁石４を配置し、磁性体部材３の電磁石４間に周方向に磁極面を有する永久磁石６を埋設した渦電流式減速装置において、永久磁石６を、電磁石４同士の中間部に対して周方向にずらして、且つ、電磁石４の周方向両側部にそれぞれ近接させて埋設する。【選択図】  図１
2007014055.tif 000002
【特許請求の範囲】
【請求項１】
回転軸に結合した制動ドラムの内方にリング状の磁性体部材を回転不能に配置し、該磁性体部材にその周方向に所定間隔を隔てて複数の電磁石を配置し、上記磁性体部材の上記電磁石間に周方向に磁極面を有する永久磁石を埋設した渦電流式減速装置において、
上記永久磁石を、上記電磁石同士の中間部に対して周方向にずらして、且つ、上記電磁石の周方向両側部にそれぞれ近接させて埋設したことを特徴とする渦電流式減速装置。
【請求項２】
回転軸に結合した制動ドラムの内方にリング状の磁性体部材を回転不能に配置し、該磁性体部材にその周方向に所定間隔を隔てて複数の電磁石を配置し、上記磁性体部材の上記電磁石間に周方向に磁極面を有する永久磁石をそれぞれ埋設した渦電流式減速装置において、
上記各永久磁石を、上記磁性体部材の周方向に分割し、これら分割した永久磁石を、上記電磁石同士の中間部に対して周方向にずらして、且つ、上記電磁石の周方向両側部にそれぞれ近接させて埋設したことを特徴とする渦電流式減速装置。
【請求項３】
上記磁性体部材は、上記電磁石の周方向両側に設けられ上記制動ドラムの内周面に対向する磁極部と、該磁極部における上記電磁石とは反対側の側部の隣りに設けられ上記永久磁石が埋設される埋設部と、該埋設部の隣りに設けられ上記埋設部よりも断面積が大きく形成された接続部とを有する請求項１又は２記載の渦電流式減速装置。
【発明の詳細な説明】
【技術分野】
【０００１】
本発明は、車両の摩擦ブレーキを補助する渦電流式減速装置に係り、特に、電磁石と永久磁石とを併用した渦電流式減速装置に関する。
【背景技術】
【０００２】
例えば図７に示すように、電磁石と永久磁石とを併用した渦電流式減速装置は、回転軸（図示せず）に結合された制動ドラム２１と、制動ドラム２１の内方に配置された不動の磁性体部材２２とを備えている。
【０００３】
磁性体部材２２はリング状（環状）に形成されており、この磁性体部材２２にはその周方向に所定間隔を隔てて周方向に磁極を有する複数の電磁石２３が配置されている。磁性体部材２２の電磁石２３同士の中間部には、周方向に磁極面を有する永久磁石２４が埋設されている。各永久磁石２４は、隣接する電磁石２３に対して同極で対向するように設定される。
【０００４】
制動時、電磁石２３に通電すると、永久磁石２４の磁束により電磁石２３内方の磁性体部材２２内が反磁界の状態となり、その反磁界の磁束に反発して電磁石２３の磁束が制動ドラム２１へと流れる。これにより、電磁石２３、磁性体部材２２及び制動ドラム２１を循環する磁気回路Ｗが形成される。制動ドラム２１と磁性体部材２２との相対回転によって制動ドラム２１に渦電流が生起される。
【０００５】
一方非制動時、電磁石２３への通電を解除すると、各永久磁石２４が磁性体部材２２内で磁気回路により接続されるので、永久磁石２４の磁界は制動ドラム２１には及ばない。
【０００６】
このような電磁石と永久磁石とを併用した渦電流式減速装置は、特許文献１〜３等にも記載されている。
【０００７】
【特許文献１】特開２００２−１０１６３７号公報
【特許文献２】特開２００２−１０１６４０号公報
【特許文献３】特開２００２−３４５２３３号公報
【発明の開示】
【発明が解決しようとする課題】
【０００８】
ところで図７で示した渦電流式減速装置では、永久磁石２４を電磁石２３同士の中間部に配置していたため、電磁石２３と永久磁石２４との距離が長く、特に永久磁石２４同士の距離が長かった。そのため、制動時に永久磁石２４の磁束がポールピース２５内に入る量が少なくなり、上記の反磁界を強くできなかった。加えて電磁石２３と永久磁石２４との間の磁性体部材２２の表面積が大きいため、磁気洩れＬも起き、渦電流式減速装置の制動性能を向上させる余地があった。
【０００９】
そこで、本発明の目的は、渦電流式減速装置の制動性能を向上させることにある。
【課題を解決するための手段】
【００１０】
上記目的を達成するために、請求項１の発明は、回転軸に結合した制動ドラムの内方にリング状の磁性体部材を回転不能に配置し、該磁性体部材にその周方向に所定間隔を隔てて複数の電磁石を配置し、上記磁性体部材の上記電磁石間に周方向に磁極面を有する永久磁石を埋設した渦電流式減速装置において、上記永久磁石を、上記電磁石同士の中間部に対して周方向にずらして、且つ、上記電磁石の周方向両側部にそれぞれ近接させて埋設したことを特徴とする渦電流式減速装置である。
【００１１】
請求項２の発明は、回転軸に結合した制動ドラムの内方にリング状の磁性体部材を回転不能に配置し、該磁性体部材にその周方向に所定間隔を隔てて複数の電磁石を配置し、上記磁性体部材の上記電磁石間に周方向に磁極面を有する永久磁石をそれぞれ埋設した渦電流式減速装置において、上記各永久磁石を、上記磁性体部材の周方向に分割し、これら分割した永久磁石を、上記電磁石同士の中間部に対して周方向にずらして、且つ、上記電磁石の周方向両側部にそれぞれ近接させて埋設したことを特徴とする渦電流式減速装置である。
【００１２】
請求項３の発明は、上記磁性体部材は、上記電磁石の周方向両側に設けられ上記制動ドラムの内周面に対向する磁極部と、該磁極部における上記電磁石とは反対側の側部の隣りに設けられ上記永久磁石が埋設される埋設部と、該埋設部の隣りに設けられ上記埋設部よりも断面積が大きく形成された接続部とを有する請求項１又は２記載の渦電流式減速装置である。
【発明の効果】
【００１３】
本発明によれば、渦電流式減速装置の制動性能を向上させることができるという優れた効果を奏する。
【発明を実施するための最良の形態】
【００１４】
以下、本発明の好適な実施形態を添付図面に基づいて詳述する。
【００１５】
図１は、本発明の一実施形態に係る渦電流式減速装置の制動時を示す正面断面図である。図２は、図１の実施形態に係る渦電流式減速装置の非制動時を示す正面断面図である。
【００１６】
図１に示すように、図示しない回転軸（例えば変速機の出力軸）には、渦電流が生起される制動ドラム１が結合されている。制動ドラム１は、導電体且つ磁性体（強磁性体、軟磁性体等、以下同じ）の材料（例えば低炭素鋼、ステンレス鋼、鋳鉄等、以下同じ）からなり、回転軸と同心的な円筒状に形成されている。制動ドラム１の外周面には、渦電流によって生じた発熱を放熱するための放熱フィン２が設けられている。
【００１７】
制動ドラム１の内方には、図示しない固定側（例えば変速機のケーシング）に結合された不動（回転不能）の磁性体部材３が配置されている。磁性体部材３は、導電体且つ磁性体の材料からなるブロック体或いは電磁鋼板の積層体であり、リング状（環状）に形成されている。
【００１８】
磁性体部材３には、周方向に所定間隔を隔てて複数の電磁石４が配置されている。本実施形態では、電磁石４は磁性体部材３に電磁コイル５を巻装してなる。電磁コイル５は磁性体部材３にその周方向軸廻りに電線を巻回してなり、電磁コイル５の周方向両側部に磁極が形成される。本実施形態では、全ての電磁石４で磁極の向きが周方向に同一となっており、周方向に隣接する電磁石４同士が異極で対向するようになっている。
【００１９】
磁性体部材３の電磁石４（電磁コイル５）間には、制動時に電磁石４の磁力を補助するための永久磁石６が埋設されている。本実施形態では、永久磁石６は、電磁石４（電磁コイル５）同士の中間部に対して周方向にずらして、且つ、各電磁石４（電磁コイル５）の周方向両側部にそれぞれ近接させて埋設されている。詳しくは本実施形態では、永久磁石６は、後述する各磁極部７における電磁石４（電磁コイル５）とは反対側の側部の隣りに配置される。
【００２０】
本実施形態では、永久磁石６の周方向の両端面に磁極面が形成され、各永久磁石６は周方向に隣接する電磁石４に対して同極で対向するようになっている。
【００２１】
ここで永久磁石６は、電磁石４の磁力を補助するのに必要な所定の磁力を有する永久磁石を周方向に複数に分割したものである。本実施形態では、図７で示した渦電流式減速装置に用いた永久磁石２４を二分割して、その分割したものを本実施形態の永久磁石６として用いている。
【００２２】
磁性体部材３は、電磁石４（電磁コイル５）の周方向両側に設けられ、制動ドラム１の内周面に対向する磁極部７と、磁極部７における電磁石４（電磁コイル５）とは反対側の側部の隣りに設けられ、永久磁石６が埋設される埋設部８と、埋設部８の隣りに設けられ、埋設部８よりも断面積が大きく形成された接続部９とを有している。本実施形態では、磁性体部材３の各電磁石４（電磁コイル５）間には、周方向中央の接続部９と、周方向両側の二つの埋設部８とが設けられる。磁性体部材３の各埋設部８には中空部が設けられており、その中空部内に永久磁石６が挿入される。
【００２３】
ここで、埋設部８及び接続部９と、制動ドラム１との間隔は、磁極部７と制動ドラム１との間隔より大きく設定するものとする。このようにすることにより、埋設部８及び接続部９と、制動ドラム１との間で、非制動時に永久磁石６により磁気洩れとなる磁気回路が形成されることはない。
【００２４】
次に、本実施形態の作用を説明する。
【００２５】
回転軸を減速制動するとき（制動時）は、電磁コイル５（電磁石４）を通電する。すると、電磁コイル５は磁性体部材３にその周方向軸廻りに電線を巻回して形成されているので、電磁コイル５内方の磁性体部材３が磁化されて、電磁コイル５（電磁石４）の両側部がそれぞれＮ極、Ｓ極となる。その際、各永久磁石６は周方向に隣接する電磁石４に対して同極で対向するようになっているため、永久磁石６の磁束によって電磁コイル５（電磁石４）内方の磁性体部材３内が反磁界の状態となる。
【００２６】
その結果、電磁石４の磁束が反磁界の磁束に反発して磁極部７を通じて制動ドラム１へと流れ、図１に示すように、電磁石４、磁極部７及び制動ドラム１を循環する、電磁石４の磁束に基づく磁気回路Ｗ１が形成される。また同様に、永久磁石６の磁束も電磁石４の磁束に反発して磁極部７を通じて制動ドラム１へと流れ、永久磁石６、磁極部７及び制動ドラム１を循環する、永久磁石６の磁束に基づく磁気回路Ｗ２が形成される。制動ドラム１と磁性体部材３（電磁石４、永久磁石６）との相対回転によって制動ドラム１に渦電流が生起され、回転軸が減速制動される。
【００２７】
ここで本実施形態では、永久磁石６を、電磁コイル５（電磁石４）同士の中間部に対して周方向にずらして、且つ、電磁コイル５（電磁石４）の周方向両側部にそれぞれ近接させて配置している。このようにすることで、電磁石４と永久磁石６との距離が短くなると共に、永久磁石６同士の距離も短くなり、永久磁石６の磁束が電磁コイル５内方の磁性体部材３内に流れ易くなって反磁界が強くなる。加えて永久磁石６同士の距離が短いため、電磁石４と永久磁石６との間の磁性体部材３の表面積が小さくなり、磁気洩れＬも抑制されて、渦電流式減速装置の制動性能が向上する。
【００２８】
また本実施形態では、周方向に隣接する永久磁石６間に、埋設部８に比べ断面積の大きい接続部９を設けることで、永久磁石６同士の間の磁気抵抗が小さくなって磁気洩れが少なくなり、永久磁石６の磁束が電磁コイル５内方の磁性体部材３内に入る量を増やせる。
【００２９】
一方、回転軸の減速制動を解除するとき（非制動時）には、電磁コイル５（電磁石４）の通電を解除する。すると、図２に示すように、各永久磁石６によって磁性体部材３内で磁気回路Ｗ３が形成される。この磁気回路Ｗ３は制動ドラム１には及ばないので、回転軸の減速制動が解除される。
【００３０】
また本実施形態では、電磁石４と永久磁石６との距離を短くすることで、永久磁石６同士の距離も短くなるため、非制動時にも永久磁石６の磁束が電磁コイル５内方の磁性体部材３内に流れ易くなり、非制動時に永久磁石６により磁気洩れとなる磁気回路が形成されにくくなる。
【００３１】
さらに本実施形態では、所定の磁力を有する永久磁石を周方向に二分割し、これら分割した永久磁石６を、電磁コイル５（電磁石４）同士の中間部に対して周方向にずらして、且つ、電磁コイル５（電磁石４）の周方向両側部にそれぞれ近接させて配置するようにしている。このようにすることで、電磁石間の永久磁石の数量が増えても永久磁石全体の重量を増大させずに所定の磁力を得ることが出来るため、装置全体の重量は増大しない。
【００３２】
以上、本発明の好適な実施形態について説明したが、本発明は上記実施形態には限定されず他の様々な実施形態を採ることが可能である。
【００３３】
例えば、渦電流式減速装置を組立てる際に永久磁石６の磁極面の向きを間違えないようにするため、図３〜図６に示すように、永久磁石６の形状を周方向に対して非対称としても良い。例えば、図３に示す永久磁石１１では、一方の磁極面（図３中の右側）がテーパ面状に形成され、他方の磁極面（図３中の左側）が平面状に形成される。また、図４に示す永久磁石１２では、一方の磁極面（図４中の右側）が曲面状に形成され、他方の磁極面（図４中の左側）が平面状に形成される。また、図５に示す永久磁石１３では、一方の磁極面（図５中の右側）が凸面状に形成され、他方の磁極面（図５中の左側）が平面状に形成される。さらに、図６に示す永久磁石１４では、一方の磁極面（図６中の右側）が凹面状に形成され、他方の磁極面（図６中の左側）が平面状に形成される。
【図面の簡単な説明】
【００３４】
【図１】本発明の一実施形態に係る渦電流式減速装置の制動時を示す正面断面図である。
【図２】図１の実施形態に係る渦電流式減速装置の非制動時を示す正面断面図である。
【図３】永久磁石の変形例を示す渦電流式減速装置の正面断面図である。
【図４】永久磁石の変形例を示す渦電流式減速装置の正面断面図である。
【図５】永久磁石の変形例を示す渦電流式減速装置の正面断面図である。
【図６】永久磁石の変形例を示す渦電流式減速装置の正面断面図である。
【図７】従来の渦電流式減速装置の正面断面図である。
【符号の説明】
【００３５】
１  制動ドラム
３  磁性体部材
４  電磁石
６、１１、１２、１３、１４  永久磁石
７  磁極部
８  埋設部
９  接続部
【図１】
2007014055.tif 000003
【図２】
2007014055.tif 000004
【図３】
2007014055.tif 000005
【図４】
2007014055.tif 000006
【図５】
2007014055.tif 000007
【図６】
2007014055.tif 000008
【図７】
2007014055.tif 000009